(57)【特許請求の範囲】
【請求項１】
作業者が握る中空のグリップ部を備えた電動作業機において、グリップ部を横断し貫通する通気路が設けられ、この通気路内にはグリップ部内の空洞との間を仕切る仕切り壁が設けられており、前記仕切り壁には外気導入口が形成され、この外気導入口から電動機へと向って伸びる通風路がグリップ部内に設けられたことを特徴とする電動作業機。
【請求項２】
請求項１に記載の電動作業機において、通気路の両端が端壁で覆われ、両端壁に複数個の通気孔が形成されていることを特徴とする電動作業機。
【請求項３】
請求項１又は請求項２に記載の電動作業機において、中空のグリップ部が通気路を分断する平面で仕切り壁と共に二分割され、分割部分の突き合わせ面にラビリンス係合部が形成されていることを特徴とする電動作業機。
【発明の詳細な説明】
【技術分野】
【０００１】
本発明は、ヘッジトリマ、サンダー、グラインダ等の電動作業機に関する。
【背景技術】
【０００２】
図８及び図９に示すように、ヘッジトリマ等には作業者が手１で持つグリップ部２が設けられる。また、グラインダ等にはグリップ部が電動機のハウジングを兼ねるものがあるが、このグリップ部には電動機を冷却する冷却風をハウジング内に取り込むための溝及び吸気口が形成される（例えば、特許文献１参照。）。
【０００３】
【特許文献１】特開平６−１４３１５８号公報
【発明の開示】
【発明が解決しようとする課題】
【０００４】
ところが、図８及び図９に示すグリップ部２によれば、作業中において手の平がグリップ部２に密着しているため、手の平に汗が生じやすい反面汗の蒸発がままならず、作業者は不快な状態のまま作業を続けるか、あるいは安全のために作業を頻繁に中断して汗を拭き取る必要がある。このため、電動作業機による芝刈り作業等の作業効率が低下するという問題がある。特に、高温、多湿の中で長時間作業する場合に、その傾向が強い。
【０００５】
また、グリップ部に冷却風取り入れ用の溝や吸気口を形成した場合は、グリップ部を握る手の平に発生した汗が溝や吸気口を通して蒸発しやすくなるとも考えられるが、逆に汗のほか雨水等が吸気口からハウジング内に浸入しやすくなり、雨水等の付着によりハウジング内のスイッチ装置等の電気部品が損傷しやすくなるという問題がある。
【０００６】
したがって、本発明は上記問題点を解消することができる手段を提供することを目的とする。
【課題を解決するための手段】
【０００７】
上記課題を解決するため、本発明は次のような構成を採用する。
【０００８】
すなわち、請求項１に係る発明は、作業者が握る中空のグリップ部を備えた電動作業機において、グリップ部（９ａ）を横断し貫通する通気路（１１）が設けられ、この通気路（１１）内にはグリップ部（９ａ）内の空洞との間を仕切る仕切り壁（１３）が設けられており、前記仕切り壁（１３）には外気導入口（１９）が形成され、この外気導入口（１９）から電動機（３）へと向って伸びる通風路（２０）が、グリップ部（９ａ）内に設けられたことを特徴とする。
【０００９】
また、請求項２に係る発明は、請求項１に記載の電動作業機において、通気路（１１）の両端が端壁（１８）で覆われ、両端壁（１８）に複数個の通気孔（１８ａ）が形成されていることを特徴とする。
【００１０】
また、請求項３に係る発明は、請求項１又は請求項２に記載の電動作業機において、中空のグリップ部（９ａ）が通気路（１１）を分断する平面で仕切り壁（１３）と共に二分割され、分割部分の突き合わせ面にラビリンス係合部（１７ａ，１７ｂ）が形成されていることを特徴とする。
【発明の効果】
【００１２】
請求項１に係る発明によれば、作業者が握る中空のグリップ部を備えた電動作業機において、グリップ部（９ａ）を横断し貫通する通気路（１１）が設けられ、この通気路（１１）内にはグリップ部（９ａ）内の空洞との間を仕切る仕切り壁（１３）が設けられていることから、通気路（１１）の存在によってグリップ部（９ａ）を握った手（１）の内側の通気性がよくなり、手汗が押えられる。したがって、作業の中断を低減することができると同時に、手汗による滑りを防止し作業の安全性を高めることができる。また、通気路（１１）とグリップ部（９ａ）内の空洞との間は仕切り壁（１３）で遮断されているので、汗、雨水等のグリップ部（９ａ）内への浸入が防止される。従って、グリップ部（９ａ）内やグリップ部（９ａ）の空洞に通じるハウジング（５）内に設けられた電動機（３）、電気部品（１５，１６）等の損傷が防止される。また、ハウジング（５）内の電動機（３）等で生じた熱が通気路（１１）内からグリップ部（９ａ）外に伝わらないように、仕切り壁（１３）で伝熱を遮断することができる。
また、仕切り壁（１３）には外気導入口（１９）が形成され、この外気導入口（１９）から電動機（３）へと向って伸びる通風路（２０）が、グリップ部（９ａ）内に設けられたことから、電動機（３）の冷却風（ａ）に乗るように、外気が通気路（１１）から通風路（２０）内に流入するので、通気路（１１）内を空気が円滑に流れ、従って、グリップ部（９ａ）を握る手（１）の汗が、より効率的に除去される。
【００１３】
請求項２に係る発明によれば、請求項１に記載の電動作業機において、通気路（１１）の両端が端壁（１８）で覆われ、両端壁（１８）に複数個の通気孔（１８ａ）が形成されていることから、端壁（１８）で通気路（１１）を隠しグリップ部（９ａ）の見栄えを良くすることができる。また、通気孔（１８ａ）の個数、大きさ等を加減して設けることにより通気性を適宜調整することができる。
【００１４】
請求項３に係る発明によれば、請求項１又は請求項２に記載の電動作業機において、中空のグリップ部（９ａ）が通気路（１１）を分断する平面で仕切り壁（１３）と共に二分割され、分割部分の突き合わせ面にラビリンス係合部（１７ａ，１７ｂ）が形成されていることから、分割部分を重ね合わせるのみでグリップ部及び仕切り壁を簡易に組み立てることができると共に、ラビリンス係合部の係合によりグリップ部内への汗、雨水等の浸入や、グリップ部からの電動機等の熱気の漏れ出しを適正に防止することができる。
【発明を実施するための最良の形態】
【００１６】
以下、図面を参照して発明を実施するための最良の形態について説明する。
【００１７】
＜実施の形態１＞
図１に示すように、この電動作業機は具体的にはヘッジトリマとして構成される。
【００１８】
このヘッジトリマは、電動機３及び伝動装置４（図７参照）を収納したハウジング５を備える。ハウジング５の下部からはブレード６がハウジング５の前方に突出する。電動機３の回転が伝動装置４によって減速され、ブレード６の前後往復運動に変換される。伝動装置の構造および作用は公知であるからその詳細な説明は省略する。電動機３には冷却ファン７が取り付けられ、この冷却ファン７が電動機３の回転と共に回転する。
【００１９】
図１に示すように、ハウジング５の上部には、冷却風ａを取り込む冷却風吸込口５ａが設けられ、ハウジング５の下部には冷却風ａを排出するための冷却風排出口５ｂ，５ｃが設けられる。電動機３の回転と同時に冷却ファン７が回転すると、冷却風ａが冷却風吸込口５ａから冷却風排出口５ｂ，５ｃへとハウジング５内を流れつつ電動機３を冷却する。
【００２０】
図１に示すように、ハウジング５には、補助グリップ部８とグリップ部９とが設けられる。補助グリップ部８は、ハウジング５の下部に固定され、そこからハウジング５の前方へ斜め上に突出する。グリップ部９は、上グリップ部９ａと下グリップ部９ｂとからなる。上下のグリップ部９ａ，９ｂは後端同士が結合され、前端はハウジング５にそれぞれ一体に結合される。上グリップ部９ａがハウジング５に連結される箇所には、電動機３をＯＮ・ＯＦＦ操作するためのトリガー１０が設けられる。補助グリップ部８、上下グリップ部９ａ，９ｂは、このヘッジトリマによるトリミング作業の際に作業者の片手又は両手で適宜選択して把持される。
【００２１】
上下のグリップ部９ａ，９ｂはハウジング５と一体成形され、図１の紙面と平行に延びる平面でハウジング５と共に二分割される。この二分割された分割部分が突き合わせ面で突き合わされ、図示しない止めネジ等で結合されることにより、ハウジング５及び上下のグリップ部９ａ，９ｂとして一体的に組み立てられる。
【００２２】
また、図２及び図３に示すように、分割部分の突き合わせ面にはラビリンス係合部が形成される。ラビリンス係合部は、一方の分割片の突き合わせ面にハウジング５及び上下のグリップ部９ａ，９ｂの輪郭に沿うように形成された凸部１０ａと、他方の分割片の突き合わせ面にハウジング５及び上下のグリップ部９ａ，９ｂの輪郭に沿うように形成された凹部１０ｂとで構成される。凸部１０ａが凹部１０ｂに嵌り込むことにより、両分割部分が突き合わせ面で隙間を生じないよう、且つ表面に段差を生じないように結合され、ハウジング５及び上下のグリップ部９ａ，９ｂが組み立てられる。
【００２３】
図１乃至図３に示すように、上グリップ部９ａには、この上グリップ部９ａをヘッジトリマの左右方向に横断し貫通する通気路１１が設けられる。通気路１１は上グリップ部９ａの長さ方向へも長く伸びている。この通気路１１の存在によって上グリップ部９ａを握った作業者の手１の内側の通気性がよくなり、手汗が除去されやすくなる。
【００２４】
また、図１及び図２に示すように、必要に応じて上グリップ部９ａから下グリップ部９ｂにかけてそれらの表面が通気路１１の開口を除き軟質皮膜１２で被覆される。軟質皮膜１２はウレタンゴム等のような手の平になじみやすく滑りにくい材料で形成される。
【００２５】
図２及び図３に示すように、通気路１１内には上グリップ部９ａ内の空洞との間を仕切る仕切り壁１３が設けられる。仕切り壁１３は通気路１１をトンネル壁のごとく囲繞するように設けられる。このように通気路１１と上グリップ部９ａ内の空洞との間が仕切り壁１３で遮断されていることから、上グリップ部９ａの空洞内への汗、雨水等の浸入が防止される。図１に示すように、上グリップ部９ａの空洞内にはリード線１４が挿入され、また図７に示すように、上グリップ部９ａの空洞内におけるトリガー１０の近傍には電気部品であるスイッチ装置１５が収納され、上グリップ部９ａの空洞内における最後部には電気部品である直流変換器１６が収納されているが、この仕切り壁１３の存在によりリード線１４に対する絶縁距離が確保され、あるいは雨水、汗等の付着による直流変換器１６等の電気部品の損傷が防止される。また、ハウジング５内の電動機３で生じた熱が通気路１１内から上グリップ部９ａを握る手１に伝わらないようにすることができる。
【００２６】
図２及び図３に示すように、仕切り壁１３は、上述したハウジング５及び上下のグリップ部９ａ，９ｂを左右に分割する平面と同じ平面で分割される。そして、仕切り壁１３の突き合わせ面には、上記ハウジング５等のラビリンス係合部と同様に凸部１７ａと凹部１７ｂとからなるラビリンス係合部が形成される。この仕切り壁１３は、ハウジング５及び上下グリップ部９ａ，９ｂの分割部分が突き合わせ面で結合されると同時に、突き合わせ面上で結合される。そして、凹凸部１７ｂ，１７ａの係合により仕切り壁１３の継ぎ目が閉じられる。このようにラビリンス係合部により仕切り壁１３の突き合わせ面が係合することから、仕切り壁１３による密封性がさらに向上し、汗、雨水等の浸入、熱風の漏れ出しがより適正に防止される。
【００２７】
次に、上記構成のヘッジトリマの作用について説明する。
【００２８】
作業者は例えば一方の手１で上グリップ部９ａを握り、図示しないが他方の手で補助グリップ部８又は下グリップ部９ｂを握ってヘッジトリマを支える。
【００２９】
上グリップ部９ａを握る手１の指でトリガー１０を押えると、電動機３（図７参照）が起動し、ブレード６が前後往復運動する。このブレード６を植え込み等に当てることでトリミング作業が行われる。
【００３０】
上グリップ部９ａを握る作業者の手１の内側には汗が生じるが、手の平に対応した上グリップ部９ａには通気路１１が設けられており、この通気路１１内を空気が通るので汗が発散しやすい。このため、作業者は手の平を頻繁に拭うことなくトリミング作業を続行することができ、作業性を高めることができる。
【００３１】
また、手汗による手の滑りを防止することができ作業の安全性を高めることができる。
【００３２】
さらに、作業者の手に生じた汗や、雨水は仕切り壁１３により遮断される。このため、ヘッジトリマ内部のスイッチ装置１５、直流変換器１６等の電気部品（図７参照）の損傷が防止される。逆に、ハウジング５内で生じる電動機３等の熱が仕切り壁１３により遮断され、通気路１１内から上グリップ部９ａを握る手１への伝熱が阻止される。
【００３３】
＜実施の形態２＞
図４乃至図６に示すように、この実施の形態２に係るヘッジトリマの上グリップ部９ａにおける通気路１１の両端の開口は、それぞれ端壁１８で覆われている。そして、両端壁１８には、複数個の通気孔１８ａが形成されている。このように、端壁１８で通気路１１を隠することで上グリップ部９ａの見栄えを良くすることができる。また、通気孔１８ａの個数、大きさ等を加減して設けることにより、通気路１１の通気性を適宜調整することができる。通気孔１８ａの形状は花びら等所望の形状とすることにより、ヘッジトリマの外観性能を高めることができる。
【００３４】
なお、図４乃至図６において、実施の形態１における部分と同じ部分には同一符号を付して示すことにより重複した説明を省略する。
【００３５】
＜実施の形態３＞
図７に示すように、この実施の形態３に係るヘッジトリマの上グリップ部９ａ内には、仕切り壁１３に形成された外気導入口１９から電動機３へと向って伸びる比較的細い通風路２０が設けられている。電動機３が起動し、冷却ファン７が回転して冷却風ａが電動機３の回りを流れると、この冷却風ａに引き込まれるように、外気が上グリップ部９ａの通気孔１８ａから通気路１１内に入り、外気導入口１９から通風路２０内に流入する。すなわち、冷却ファン７の吸引作用により、通気路１１内での通気性が向上する。これにより、上グリップ部９ａを握る手の汗がより効率的に除去される。
【００３６】
なお、図７において、実施の形態１，２における部分と同じ部分には同一符号を付して示すことにより重複した説明を省略する。
【００３７】
以上、本発明の望ましい実施の形態について説明したが、本発明は上記各種の実施の形態に限定されるものではなく、本発明の要旨を逸脱しない範囲内で種々変更可能である。例えば、上記実施の形態ではヘッジトリマを例にとって説明したが、本発明はヘッジトリマのほか、サンダー、グラインダ等他の電動作業機についても適用可能である。また、上記実施の形態では通気路、通風路等を上グリップ部に設けたが、下グリップ部、補助グリップ部に設けることも可能である。また、上記実施の形態では通気路を一つのグリップ部に一つのみ設けているが、複数個設けることも可能である。
【図面の簡単な説明】
【００３８】
【図１】本発明の実施の形態１に係る電動作業機の側面図である。
【図２】図１中、ＩＩ−ＩＩ線矢視断面図である。
【図３】図２中、ＩＩＩ−ＩＩＩ方向矢視図である。
【図４】本発明の実施の形態２に係る電動作業機の要部側面図である。
【図５】図４中、Ｖ−Ｖ線矢視断面図である。
【図６】図５中、ＶＩ−ＶＩ方向矢視図である。
【図７】本発明の実施の形態３に係る電動作業機のハウジングを片半分除去して示す側面図である。
【図８】従来の電動作業機の部分切欠側面図である。
【図９】図８中、ＩＸ−ＩＸ線矢視断面図である。
【符号の説明】
【００３９】
３…電動機
９ａ…上グリップ部
１１…通気路
１３…仕切り壁
１７ａ…凸部
１７ｂ…凹部
１８…端壁
１８ａ…通気孔
１９…外気導入口
２０…通風路
【図１】
0004782514.tif 000002
【図２】
0004782514.tif 000003
【図３】
0004782514.tif 000004
【図４】
0004782514.tif 000005
【図５】
0004782514.tif 000006
【図６】
0004782514.tif 000007
【図７】
0004782514.tif 000008
【図８】
0004782514.tif 000009
【図９】
0004782514.tif 000010